(57)【要約】【課題】カバー部材の組み付けをより容易にする。【解決手段】遊技機用部品は、上部が開口した略矩形の箱形に形成されて基板Ｓを収容する収容部材３０と、可撓性かつ弾性を有するシート体として形成されて収容部材３０の開口を覆うカバー部材４０と、を備える。カバー部材４０は、対向する２辺Ｓ１が近接する方向にＵ字状に撓ませた状態で、収容部材３０（収容凹部）に挿入され、弾性復元力により対向する２辺Ｓ１が広がろうとする力が当該収容部材３０の側壁部３２，３３に作用して保持される。これにより、ねじ等の締結部材を用いて収容部材にカバー部材を取り付けるものに比して、カバー部材の組み付けをより容易にすることができる。【選択図】図４
2018192118.tif 000002
【特許請求の範囲】
【請求項１】
電子部品を収容する収容部材と、該収容部材の開口部を覆うカバー部材とを有する遊技機用部品であって、
前記収容部材は、底部と該底部から立設する側壁部とにより前記電子部品を収容する収容凹部が形成され、
前記カバー部材は、可撓性を有し、弾性的に撓ませた状態で前記収容凹部に取り付けられ、復元力により当該収容凹部に保持される、
ことを特徴とする遊技機用部品。
【請求項２】
請求項１記載の遊技機用部品であって、
前記カバー部材は、少なくとも２辺が対向するように形成され、
前記カバー部材の対向する２辺間の寸法は、前記収容凹部の対向する側壁部間の寸法よりも長く、
前記カバー部材は、前記対向する２辺が互いに近接する方向にＵ字状に撓ませた状態で前記収容凹部の対向する側壁部間に挿入される、
遊技機用部品。
【請求項３】
請求項２記載の遊技機用部品であって、
前記収容部材および前記カバー部材は、それぞれ矩形状に形成され、
前記カバー部材の前記対向する２辺間の寸法は、前記収容凹部の短手方向に対向する側壁部間の寸法よりも長く、
前記カバー部材は、前記対向する２辺が前記収容凹部の短手方向に対向する側壁部に掛かるように取り付けられる、
遊技機用部品。
【請求項４】
請求項１ないし３いずれか１項に記載の遊技機用部品であって、
前記カバー部材は、前記収容凹部に取り付けられた状態で抜け止めがされている、
遊技機用部品。
【請求項５】
請求項１記載の遊技機用部品であって、
前記収容部材は、前記電子部品が実装された基板を収容する部材であり、
前記収容凹部は、前記側壁部から当該収容凹部内に収容された前記基板の上方に延在する爪部を有し、
前記カバー部材は、湾曲状に撓ませた状態で前記爪部と前記基板との間に挿入されて前記収容凹部に保持される、
遊技機用部品。
【発明の詳細な説明】
【技術分野】
【０００１】
本発明は、遊技機用部品に関する。
【背景技術】
【０００２】
従来、この種の遊技機用部品としては、電子部品を収容する収容部材と、収容部材の開口部を覆うカバー部材とを備えるものが知られている。例えば、特許文献１には、ベース部とベース部を覆うベースカバーとを備えるものが開示されている。
【先行技術文献】
【特許文献】
【０００３】
【特許文献１】特開２０１７−１８４３９号公報
【発明の概要】
【発明が解決しようとする課題】
【０００４】
ところで、収容部材とカバー部材とは、ねじ等の締結部材を用いて締結されるのが一般的である。この場合、上述した遊技機用部品では、締結作業が必要となり、組み付けに時間がかかるという問題がある。
【０００５】
本発明の遊技機用部品は、収容部材と、収容部材の開口を覆うカバー部材とを備えるものにおいて、カバー部材の組み付けをより容易にすることを主目的とする。
【課題を解決するための手段】
【０００６】
本発明の遊技機用部品は、上述の主目的を達成するために以下の手段を採った。
【０００７】
本発明の遊技機用部品は、
電子部品を収容する収容部材と、該収容部材の開口部を覆うカバー部材とを有する遊技機用部品であって、
前記収容部材は、底部と該底部から立設する側壁部とにより前記電子部品を収容する収容凹部が形成され、
前記カバー部材は、可撓性を有し、弾性的に撓ませた状態で前記収容凹部に取り付けられ、復元力により当該収容凹部に保持される、
ことを要旨とする。
【０００８】
この本発明の遊技機用部品では、カバー部材を、弾性的に撓ませた状態で収容部材の収容凹部に取り付け、復元力により当該収容凹部に保持させる。これにより、ねじ等の締結部材を用いて収容部材にカバー部材を取り付けるものに比して、カバー部材の組み付けをより容易にすることができる。
【０００９】
こうした本発明の遊技機用部品において、前記カバー部材は、少なくとも２辺が対向するように形成され、前記カバー部材の対向する２辺間の寸法は、前記収容凹部の対向する側壁部間の寸法よりも長く、前記カバー部材は、前記対向する２辺が互いに近接する方向にＵ字状に撓ませた状態で前記収容凹部の対向する側壁部間に挿入されるものとしてもよい。こうすれば、カバー部材の収容凹部への取り付けをより容易にすることができる。この場合、前記収容部材および前記カバー部材は、それぞれ矩形状に形成され、前記カバー部材の前記対向する２辺間の寸法は、前記収容凹部の短手方向に対向する側壁部間の寸法よりも長く、前記カバー部材は、前記対向する２辺が前記収容凹部の短手方向に対向する側壁部に掛かるように取り付けられるものとしてもよい。
【００１０】
また、本発明の遊技機用部品において、前記カバー部材は、前記収容凹部の前記側壁部に掛かった状態で抜け止めがされているものとしてもよい。こうすれば、カバー部材を収容部材に取り付けた後、当該カバー部材が外れるのを防止することができる。
【００１１】
あるいは、本発明の遊技機用部品において、前記収容部材は、前記電子部品が実装された基板を収容する部材であり、前記収容凹部は、前記側壁部から当該収容凹部に収容された前記基板の上方に延在する爪部を有し、前記カバー部材は、湾曲状に撓ませた状態で前記爪部と前記基板との間に挿入されて前記収容凹部に保持されるものとしてもよい。カバー部材を湾曲状に撓ませた状態で基板と爪部との間に挿入することで、カバー部材を収容凹部に取り付けることができる。また、爪部でカバー部材を押さえることができるため、取り付け後にカバー部材が外れるのを抑制することができる。
【図面の簡単な説明】
【００１２】
【図１】遊技機１の構成の概略を示す構成図である。
【図２】遊技機１の制御回路の構成の概略を示す構成図である。
【図３】遊技機用部品の構成の概略を示す構成図である。
【図４】収容部材３０にカバー部材４０を取り付ける様子を示す説明図である。
【図５】変形例の遊技機用部品の構成の概略を示す構成図である。
【図６】収容部材１３０にカバー部材１４０を取り付ける様子を示す説明図である。
【図７】変形例のカバー部材２４０を示す説明図である。
【発明を実施するための形態】
【００１３】
次に、本発明を実施するための形態について図面を参照しながら説明する。
【００１４】
図１は遊技機１の構成の概略を示す構成図であり、図２は遊技機１の制御回路の構成の概略を示す構成図である。遊技機１は、遊技球を用いて遊技を行なうパチンコ機として構成され、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による操作が可能な演出ボタン１８と、を備える。
【００１５】
遊技盤３は、遊技領域の右下部に配置された図柄表示装置１１と、遊技領域の中央に配置され各種演出画像を表示する画像表示装置としての液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、液晶表示装置１２の前（手前）側で所定の演出を行なう可動装飾役物１７と、が設けられている。
【００１６】
遊技機１では、第１始動口１３や第２始動口１４へ遊技球が入球されたことに基づいて図柄表示装置１１にて特別図柄の変動表示を行ない、変動表示時間が終了すると、変動表示中の特別図柄を停止表示する。このとき、特別図柄が所定の大当り図柄で停止表示されると、大入賞口１５を開放する大当り遊技を実行する。また、遊技機１では、特別図柄の変動表示中に、液晶表示装置１２にて演出図柄を変動表示させ、特別図柄が大当り図柄で停止表示される場合には演出図柄を当り図柄で停止表示させ、特別図柄が外れ図柄で停止表示される場合には演出図柄を外れ図柄で停止表示させる図柄変動演出が行われる。図柄変動演出では、演出図柄の変動表示を伴ってリーチ演出や予告演出、ボタン演出なども行なわれ、これらの演出によって特別図柄が大当り図柄（演出図柄が当り図柄）で停止表示される可能性を遊技者に示唆する。
【００１７】
遊技機１の制御回路は、図２に示すように、遊技の基本的な進行の制御を司る主制御部２０と、賞球や球貸の払い出しに関する制御を司る払出制御部２１と、遊技球の発射に関する制御を司る発射制御部２２と、遊技の進行に伴って行われる各種演出の全体的な制御を司るサブ制御部２３と、を備える。主制御部２０には、第１始動口１３への遊技球の入球を検知する第１始動口スイッチ１３ａや第２始動口１４への遊技球の入球を検知する第２始動口スイッチ１４ａ、大入賞口１５への遊技球の入球を検知する大入賞口スイッチ１５ａからの検知信号などが入力されている。主制御部２０からは、大入賞口１５を開閉する大入賞口ソレノイド１５ｂへの駆動信号や図柄表示装置１１への表示信号などが出力されている。主制御部２０は、払出制御部２１や発射制御部２２、サブ制御部２３と通信しており、各種指令信号（コマンドや駆動信号など）やデータのやり取りを行っている。
【００１８】
払出制御部２１からは、賞球などの払い出しを行なう払出モータ５ａへの駆動信号などが出力されている。発射制御部２２には、発射ハンドル７に設けられたタッチセンサ７ａからの検知信号が入力され、発射制御部２２からは、遊技球を遊技領域内へ発射させる発射モータ７ｂへの駆動信号が出力されている。
【００１９】
サブ制御部２３は、液晶表示装置１２の表示制御を行なう表示制御基板１２ａや可動装飾役物１７の駆動や図示しないランプの駆動（点灯）を行なう装飾駆動基板１７ａ、スピーカ４を駆動するアンプ基板４ａ、演出ボタン１８の操作を検知するボタンスイッチからの検知信号を入力するボタン基板１８ａなどが接続されている。
【００２０】
図３は、遊技機用部品の構成の概略を示す構成図である。なお、図３（ａ）は、遊技機用部品の正面図を示し、図３（ｂ）は、図３（ａ）のＡ−Ａ断面図を示す。遊技機用部品は、例えば、上述した表示制御基板１２ａや装飾駆動基板１７ａ、アンプ基板４ａなど、電子部品Ｐを実装した基板Ｓを収容するものであり、図３に示すように、上部が開口した略矩形の箱形に形成されて基板Ｓを収容する収容部材３０と、収容部材３０の開口を覆うカバー部材４０と、を備える。なお、基板Ｓは、フレキシブルフラットケーブルＦＦＣが接続されており、フレキシブルフラットケーブルＦＦＣを介して制御部（サブ制御部２３）等と電気的に接続される。
【００２１】
収容部材３０は、図３（ｂ）に示すように、底部３１と底部３１から立設された側壁部（右側壁部３２および左側壁部３３を含む４つの側壁部）とにより、基板Ｓを収容する収容凹部が形成される。底部３１には、収容される基板Ｓの裏面を支持する支持部３４が設けられている。基板Ｓは、裏面が支持部３４に支持された状態でねじ等により当該支持部３４に固定される。また、収容部材３０の右側壁部３２には、基板Ｓの裏面が支持部３４に支持（固定）された状態で、基板Ｓの上方において右側壁部３２から底部３１と略平行な方向に延びる複数（２つ）の爪部３５が形成されている。
【００２２】
カバー部材４０は、矩形状に形成された可撓性かつ弾性を有するシート体（例えば、ポリプロピレン樹脂シート）であり、図４に示すように、外周縁の対向する２辺Ｓ１間の寸法は収容凹部の短手方向の寸法よりも長くなっており、当該２辺Ｓ１に直交する他の２辺Ｓ２間の寸法は収容凹部の長手方向の寸法と略同じとなっている。また、カバー部材４０の上記２辺Ｓ１の一方の辺には、カバー部材４０が収容部材３０に取り付けられる際に、右側壁部３２に形成された爪部３５と干渉しないように凹状に切り欠かれた切り欠き部４１が形成されている。
【００２３】
次に、こうして構成された実施形態の遊技機用部品において、基板Ｓを収容した収容部材３０にカバー部材４０を取り付ける手順について説明する。カバー部材４０の取り付けは、図４に示すように、カバー部材４０を対向する２辺Ｓ１が近接する方向にＵ字状に撓ませ、当該対向する２辺Ｓ１を収容部材３０の側壁部３２，３３と基板Ｓの外周部との間の隙間に挿入することにより行なわれる。これにより、Ｕ字状に撓んだ状態のカバー部材４０は、弾性復元力により広がろうとする力が収容部材３０の側壁部３２，３３に作用することで、側壁部３２，３３に掛かって保持される。本実施形態では、カバー部材４０にはピン穴４２が形成され（図４（ａ）参照）、カバー部材４０が収容部材３０に取り付けられた状態で、収容部材３０の右側壁部３２に形成された貫通孔からピン３８をカバー部材４０のピン穴４２に挿入する（図４（ｂ）参照）。これにより、カバー部材４０は、収容部材３０から外れないように固定される。また、基板Ｓに接続されるフレキシブルフラットケーブルＦＦＣはカバー部材４０の対向する２辺Ｓ１に直交する他の２辺Ｓ２と収容部材３０の上縁部との隙間に通されるため、カバー部材４０を、当該ケーブルが移動しないように押さえるケーブル押さえとしても機能させることができる。
【００２４】
以上説明した本発明の遊技機用部品では、カバー部材４０は、対向する２辺Ｓ１が近接する方向にＵ字状に撓ませた状態で、収容部材３０（収容凹部）に取り付けられる。これにより、カバー部材４０は、弾性復元力により対向する２辺Ｓ１が広がろうとする力が当該収容部材３０の側壁部３２，３３に作用することにより収容部材３０に保持される。この結果、ねじ等の締結部材を用いて収容部材にカバー部材を取り付けるものに比して、カバー部材の組み付けをより容易にすることができる。しかも、カバー部材４０が収容部材３０に取り付けられた状態で、収容部材３０の側壁部（右側壁部３２）に形成された貫通孔からピン３８が差し込まれることにより、カバー部材４０が外れないように収容部材３０に固定することができる。
【００２５】
また、カバー部材４０の軽量化やねじ等の締結部材の削減が可能となることで、遊技機用部品の軽量化を図ることができる。特に、遊技機用部品（収容部材３０およびカバー部材４０）を、可動装飾役物１７に取り付けられる装飾駆動基板１７ａの収容に採用すると、可動装飾役物１７の駆動装置の負荷が軽くなり、より効果的である。
【００２６】
実施形態では、対向する２辺Ｓ１が近接する方向にＵ字状に撓ませた状態で、対向する２辺Ｓ１を収容部材３０の側壁部（右側壁部３２、左側壁部３３）と基板Ｓの外周部との間の隙間に挿入することにより、カバー部材４０を収容部材３０に取り付けるものとした。しかし、図５，６に示すように、収容部材１３０を、右側壁部３２および左側壁部３３の両側から爪部１３５，１３６が延在するように構成し、カバー部材１４０を、湾曲状に撓ませて、対向する２辺Ｓ１を爪部１３５，１３６と基板Ｓの上面部との間に挿入することにより、カバー部材１４０を収容部材１３０に取り付けるものとしてもよい。
【００２７】
また、図７に示すように、カバー部材２４０の対向する２辺のうち一方の辺を、側壁部（右側壁部３２）に形成された爪部２３５と基板Ｓの上面部との間に挿入し、他方の辺を、側壁部（左側壁部３３）と基板Ｓの外周部との間の隙間に挿入することで、カバー部材２４０を収容部材２３０に取り付けるものとしてもよい。
【００２８】
実施形態では、カバー部材４０を矩形状に形成したが、これに限定されるものではなく、例えば、太鼓形状に形成するなど、収容部材３０の収容凹部に挿入される互いに対向する２辺を有していれば、その形状は問わない。
【００２９】
実施形態の主要な要素と課題を解決するための手段の欄に記載した発明の主要な要素との対応関係について説明する。実施形態では、収容部材３０，１３０，２３０が「収容部材」に相当し、底部３１が「底部」に相当し、右側壁部３２および左側壁部３３が「側壁部」に相当し、カバー部材４０，１４０，２４０が「カバー部材」に相当する。また、爪部１３５，１３６が「爪部」に相当する。
【００３０】
以上、本発明の実施の形態について説明したが、本発明はこうした実施形態に何等限定されるものではなく、本発明の要旨を逸脱しない範囲内において、種々なる形態で実施し得ることは勿論である。
【産業上の利用可能性】
【００３１】
本発明は、遊技機用部品の製造産業に利用可能である。
【符号の説明】
【００３２】
１  遊技機、２  本体、３  遊技盤、４  スピーカ、４ａ  アンプ基板、５  上受け皿、５ａ  払出モータ、６  下受け皿、７  発射ハンドル、７ａ  タッチセンサ、７ｂ  発射モータ、１１  図柄表示装置、１２  液晶表示装置、１２ａ  表示制御基板、１３  第１始動口、１３ａ  第１始動口スイッチ、１４  第２始動口、１４ａ  第２始動口スイッチ、１５  大入賞口、１５ａ  大入賞口スイッチ、１５ｂ  大入賞口ソレノイド、１６  アウト口、１７  可動装飾役物、１７ａ  装飾駆動基板、１８  演出ボタン、１８ａ  ボタン基板、２０  主制御部、２１  払出制御部、２２  発射制御部、２３  サブ制御部、３０，１３０，２３０  収容部材、３１  底部、３２  右側壁部、３３  左側壁部、３４  支持部、３５，１３５，１３６，２３５  爪、３８  ピン、４０，１４０，２４０  カバー部材、４１  切り欠き部、４２  ピン穴、Ｓ  基板、Ｐ  電子部品、ＦＦＣ  フレキシブルフラットケーブル。
【図１】
2018192118.tif 000003
【図２】
2018192118.tif 000004
【図３】
2018192118.tif 000005
【図４】
2018192118.tif 000006
【図５】
2018192118.tif 000007
【図６】
2018192118.tif 000008
【図７】
2018192118.tif 000009